(57)【特許請求の範囲】
【請求項１】
下地材の外面側に横長の外装材を上下方向に複数枚並べ、上下に隣り合う外装材を、上側の外装材の雌実部と下側の外装材の雄実部とを嵌合した状態で下地材に固定するようにした取付金具であって、
上記下地材の外面に沿って配置される平板状の縦片と、
上記縦片の下端部の左右両端部を左右中央部に対して上下方向に切れ目を入れてそれぞれ前側に略直角に折り曲げてなる左右１対の横片と、
上記各横片の先端部を上方に折り曲げてなり、上記上側外装材の雌実部を係止する左右１対の上側係止片と、
上記各上側係止片の先端部をそれぞれ下方に折り曲げてなり、上記下側外装材の雄実部を係止する左右１対の下側係止片と、
上記縦片の上端部を後側上方に折り曲げてなる傾斜面部と、該傾斜面部の上端部を上記縦片と略平行に折り曲げてなり、下地材の外面に当接する当接面部とからなり、該当接面部に、取付金具を下地材に取り付けるためのビスを挿通するビス孔が形成された上側脚部と、
上記縦片の下端部を後側に折り曲げてなり、下地材の外面に当接する下側脚部と、
上記縦片に左右方向に独立して並設され、金具前側から見て凹陥されていて、底部後面が下地材の外面に当接する複数の中間脚部と、
上記縦片に設けられ、上記複数の中間脚部を連続させるように金具前側から見て凹陥した横補強リブとを備えたことを特徴とする外装材の取付金具。
【請求項２】
請求項１の外装材の取付金具において、
縦片及び上側脚部の境界部分に配置され、金具前側から見て凹陥した中間補強リブと、
上記上側脚部における傾斜面部及び当接面部の境界部分に配置され、金具前側から見て突出した上側補強リブと、
上端部が縦片の上側脚部近傍に位置する一方、下端部が左右の横片の位置よりも下側に位置し、金具前側から見て凹陥した下側補強リブとが設けられていることを特徴とする外装材の取付金具。
【請求項３】
請求項１又は２の外装材の取付金具において、
中間脚部の底部に、金具取付部材を挿通するための挿通孔が設けられていることを特徴とする外装材の取付金具。
【発明の詳細な説明】
【０００１】
【発明の属する技術分野】
本発明は、外装材の取付金具に関し、特に、釘打ちによる固定時に金具を変形し難くする対策に関する技術分野に属する。
【０００２】
【従来の技術】
従来より、この種の外装材用の取付金具として、本出願人は特開平７―３００９６９号公報に示されるように、ガタツキが生じ難く不陸にも容易に対応できて施工性に優れたものを提案している。この提案の取付金具は、下地材の外面側に横長の外装材を上下方向に複数枚並べ、上下に隣り合う外装材を、上側の外装材の雌実部と下側の外装材の雄実部とを嵌合した状態で下地材に固定するもので、下地材の外面に沿って配置される平板状の縦片と、この縦片の下端部の左右両端部を左右中央部に対して上下方向に切れ目を入れてそれぞれ前側に略直角に折り曲げてなる左右１対の横片と、この各横片の先端部を上方に折り曲げてなり、上側外装材の雌実部を係止する左右１対の上側係止片と、この各上側係止片の先端部をそれぞれ下方に折り曲げてなり、上記下側外装材の雄実部を係止する左右１対の下側係止片と、上記縦片の上端部を後側上方に折り曲げてなる傾斜面部、及び該傾斜面部の上端部を上記縦片と略平行に折り曲げてなり、ビス孔が形成されかつ下地材の外面に当接する当接面部からなる上側脚部と、縦片の下端部を後側に折り曲げてなり、下地材の外面に当接する下側脚部とを備えている。そして、外装材の取付施工時、取付金具の縦片と下側係止片との間に下側外装材の雄実部を係止した後、その取付金具を下地材の外面側に置き、そのビス孔を挿通するビスにより取付金具を下地材に取り付け、続いて金具の上側係止片と縦片との間の溝部に上側外装材の雌実部を挿入して係止固定するようになっている。
【０００３】
さらに、本出願人は、上記した取付金具の縦片から上側脚部にかけて深さの浅い凹部からなる補強リブを設けることで、金具の剛性を高めるようにすることを提案している（特願平７―２９４００４号明細書及び図面参照）。
【０００４】
【発明が解決しようとする課題】
ところで、このような取付金具においては、その上側脚部の傾斜面部に形成された釘孔に固定用の釘を貫通させ、その釘を下地材に打ち込むことで、金具が取付固定される。しかし、この金具を釘打ちにより固定する際、釘の打込みに伴ってその頭部が金具の傾斜面部を押して金具を変形させる力が作用する。この金具の変形を防ぐ目的で、縦片において上側脚部の傾斜面部に近接した位置に略Ｕ字状の切れ目を入れかつその部分を後方向に略直角に折り曲げてなる中間脚部を形成し、この中間脚部を上側及び下側脚部と共に下地材外面に当接させることにより、金具の変形を防止するようにしている。
【０００５】
しかし、上記従来の中間脚部は小さな板状片であるので、下地材の木材が柔らかいと、釘打ち時に中間脚部に応力が集中し、その中間脚部が下地材内に埋没してしまい、金具の変形を確実に防止できない虞れがある。さりとて、上記中間脚部の大きさを大きくしたとしても、その形成のために縦片の切り開かれる部分が大きくなるので、金具全体の剛性強度が低下し、却って変形を招き易くなる。そして、これらの問題は金具の厚さを薄くした場合に顕著であり、改良の余地があった。
【０００６】
本発明は斯かる諸点に鑑みてなされたもので、その目的とするところは、上記外装材用の取付金具に設ける中間脚部の構造を改良することにより、釘打ちによる金具の固定時に、その金具の変形を確実に防止できるようにすることにある。
【０００７】
【課題を解決するための手段】
上記の目的を達成するために、この発明では、金具における縦片に形成する中間脚部を金具前側から見て凹陥形状のものとし、その凹陥形状の中間脚部の底部（先端部）を下地材に当接させるようにした。
【０００８】
具体的には、請求項１の発明では、下地材の外面側に横長の外装材を上下方向に複数枚並べ、上下に隣り合う外装材を、上側の外装材の雌実部と下側の外装材の雄実部とを嵌合した状態で下地材に固定するようにした取付金具として、上記下地材の外面に沿って配置される平板状の縦片と、この縦片の下端部の左右両端部を左右中央部に対して上下方向に切れ目を入れてそれぞれ前側に略直角に折り曲げてなる左右１対の横片と、この各横片の先端部を上方に折り曲げてなり、上記上側外装材の雌実部を係止する左右１対の上側係止片と、この各上側係止片の先端部をそれぞれ下方に折り曲げてなり、上記下側外装材の雄実部を係止する左右１対の下側係止片と、上記縦片の上端部を後側上方に折り曲げてなる傾斜面部、及び該傾斜面部の上端部を上記縦片と略平行に折り曲げてなり、下地材の外面に当接する当接面部からなり、該当接面部に、取付金具を下地材に取り付けるためのビスを挿通するビス孔が形成された上側脚部と、上記縦片の下端部を後側に折り曲げてなり、下地材の外面に当接する下側脚部と、上記縦片に左右方向に独立して並設され、金具前側から見て凹陥されていて、底部（先端部）後面が下地材の外面に当接する複数の中間脚部とを備えたことを特徴としている。
【０００９】
この構成によると、縦片に設けられる複数の中間脚部の各々は金具前側から見て凹陥され、この凹陥形状の中間脚部の底部が下地材の外面に当接するので、金具の釘打ちによる固定時でも、その中間脚部が下地材に埋没することはなくなる。また、中間脚部は凹陥形状であるので、金具の成形時には金具材料の変形が均一となり、中間脚部ないし金具の強度を高めることができる。よって、金具の変形を確実に防いで、金具及び該金具に固定される外装材を下地材に対し強固に支持することができる。
【００１０】
しかも、上記凹陥されている中間脚部は縦片に複数、左右方向に独立して並設されているので、中間脚部が複数ある分だけ、金具を下地材に支持する力を複数の中間脚部に分散して、上記中間脚部の下地材への埋没をさらに有効に防止できる。
【００１１】
さらに、取付金具の縦片に、上記複数の中間脚部を連続させるように金具前側から見て凹陥した横補強リブが設けられているので、この横補強リブによって金具の横方向の強度をも高めることができる。
【００１２】
上記中間脚部は、略円形状に凹陥された断面略半円弧形状のものとすれば、金具の成形時に材料の変形をさらに均一にでき、中間脚部ないし金具の強度をさらに高めることができる。また、上記中間脚部は、左右方向に延びるように横長形状に凹陥されているものとすれば、金具の横方向の強度を中間脚部自体により高めることができる。
【００１３】
請求項２の発明では、上記請求項１の外装材の取付金具において、その縦片及び上側脚部の境界部分に配置され、金具前側から見て凹陥した中間補強リブと、上記上側脚部における傾斜面部及び当接面部の境界部分に配置され、金具前側から見て突出した上側補強リブと、上端部が縦片の上側脚部近傍に位置する一方、下端部が左右の横片の位置よりも下側に位置し、金具前側から見て凹陥した下側補強リブとを設ける。
【００１４】
こうすれば、金具の強度をさらに高めることができる。特に、上記下側補強リブの下端部が金具における左右の横片の位置よりも下側に位置しているので、例えば風圧力により上側外装材が上向きに押し上げられて金具を横片の部分から変形させようとする力が作用しても、その変形を下側補強リブによって防止できる。
【００１５】
請求項３の発明では、請求項１又は２の外装材の取付金具において、中間脚部の底部に、金具取付部材（ビスや釘等）を挿通するための挿通孔を設ける。このことで、中間脚部を挿通孔を形成するための部分として利用することができる。また、金具を挿通孔の挿通によりビスや釘等で下地材に固定した場合には、外装材の係止部分と金具の下地材への固定部分とが接近しているので、風圧力により外装材が上向きに押し上げられようとした際に、金具の浮き上がりを効果的に防止することができる。
【００１６】
【発明の実施の形態】
（実施形態１）
図４は本発明の実施形態１に係る外装材の取付構造を示し、１は建物における外壁の下地材で、例えば鉄骨や木質材料（木下地）で構成されている。２は下地材１の外面側に上下に複数枚並べられかつ取付金具１２を介して取り付けられた横長の外装材であって、この各外装材２は、繊維強化セメント板、けい酸カルシウム板、木片セメント板、スラグセメント板、ＧＲＣ等の無機質板、鉄やアルミニウム等の金属板からなる。
【００１７】
上記各外装材２の上端部（上側の長辺）には、その表面側（図４で右側）を切り欠いてなる雄実部３が設けられている。一方、各外装材２の下端部（下側の長辺）には、その裏面側（図４で左側）を切り欠いてなる雌実部４が設けられ、該雌実部４は、その奥に係止溝５を有しており、この係止溝５により表面側の雌実上片６と裏面側の雌実下片７とに分けられている。そして、上下に隣り合う２枚の外装材２，２同士は、下側の外装材２における雄実部３（詳しくはその前面の垂直面３ａ）上に上側の外装材２における雌実部４の雌実上片６（詳しくはその後面の垂直面６ａ）を重ね合わせた状態で接合されている。
【００１８】
尚、図４中、９は下側外装材２における雄実部３の垂直面３ａに形成されて、取付金具１２の後述する下側係止片１６を納める段差部、１０は上記垂直面３ａの段差部９以外の箇所である基部側に設けられて、その垂直面３ａと上側外装材２における雌実上片６の垂直面６ａとの間をシールするシーリング材である。
【００１９】
上記取付金具１２は、鉄やアルミニウム等の金属板からなるもので、図１〜図３に詳示するように、下地材１の外面に沿って配置される平板状の縦片１３と、該縦片１３の下端部の左右中央部及び左右両側部の間に上下方向に切れ目を入れかつ該左右両側部をそれぞれ前側に略直角に折り曲げて形成された左右１対の横片１４，１４と、該横片１４，１４の先端部をそれぞれ上方に折り曲げて形成された左右１対の上側係止片１５，１５と、該上側係止片１５，１５の先端部をそれぞれ下方に折り曲げて形成された左右１対の下側係止片１６，１６とを備えている。上記各上側係止片１５は、上方に向かうに従って縦片１３との間の間隔が拡がるように傾斜している一方、各下側係止片１６は、縦片１３と一定の間隔を保って下方に延びている。
【００２０】
上記縦片１３は、横片１４，１４を切り起こして残ったもので、全体として前側から見て略Ｔ字状であり、その上下両端部にはそれぞれ上側脚部１８及び下側脚部２１が形成されている。上側脚部１８は、縦片１３の上端部を上記横片１４の折曲げ方向と反対側つまり後側に向って上方に傾斜するように折り曲げられてなる傾斜面部１９と、該傾斜面部１９の上端部（先端部）を縦片１３と略平行に折り曲げて形成され、下地材１の外面に当接する当接面部２０とからなる。一方、下側脚部２１は、縦片１３の下端部を後側（横片１４の折曲げ方向と反対側）に略直角に折り曲げてなるものである。
【００２１】
上記上側脚部１８の傾斜面部１９には、金具１２を木下地（下地材１）に取付固定するための釘３４（図４参照）を挿通する３つの釘孔２４，２４，…が、また当接面部２０には、同様に金具１２を鉄骨（下地材１）に取付固定するためのビス（図示せず）を挿通する３つのビス孔２５，２５，…がそれぞれ上下に対応して横一列に貫通形成されている。
【００２２】
また、本発明の特徴として、上記縦片１３の上下中央部には上記各釘孔２４（各ビス孔２５）に上下に対応した位置に、金具１２前側から見て略円形状に凹陥されてなる断面略半円弧形状の３つ（尚、１つ、又は３つ以外の複数であってもよい）の中間脚部２７，２７，…が左右方向に独立して並設されており、縦片１３が下地材１の外面に固定された状態では、各中間脚部２７の底部（先端部）後面が上側及び下側脚部１８，２１と共に下地材１の外面に当接するようになっている。
【００２３】
さらに、縦片１３には、３つの中間脚部２７，２７，…間に亘りそれらを連続するように金具１２前側から見て各中間脚部２７よりも浅く凹陥した横補強リブ２８が設けられている。
【００２４】
そして、上記縦片１３と上側脚部１８との境界部分には金具１２の左右端近傍に、金具１２前側から見て凹陥した左右１対の中間補強リブ３０，３０が、また上側脚部１８の傾斜面部１９と当接面部２０との境界部分には金具１２の左右端縁に、金具１２前側から見て突出した左右１対の上側補強リブ２９，２９がそれぞれ形成されている。さらに、縦片１３の左右中央には、金具１２前側から見て上記横補強リブ２８と同じ深さだけ凹陥した下側補強リブ３１が形成され、この下側補強リブ３１の上端部は上記左右中央の中間脚部２７に連続していて上側脚部１８近傍の縦片１３に位置し、下端部は左右の横片１４，１４の位置よりも下側に位置している。
【００２５】
次に、上記実施形態において、複数の外装材２，２，…を下地材１に取付固定する手順について説明すると、図４に示す如く、まず、取付金具１２の縦片１３と下側係止片１６との間に下側の外装材２の雄実部３を挿入して係止した後、取付金具１２を下地材１の外面側に当接させる。
【００２６】
次いで、下地材１が鉄骨である場合には、上記取付金具１２における上側脚部１８の当接面部２０の各ビス孔２５にそれぞれビスを挿通し、その各ビスを下地材１（鉄骨）に捩じ込んで取付金具１２を下側の外装材２と共に固定する。一方、下地材１が木質材料（木下地）である場合、図４に示すように、上側脚部１８の傾斜面部１９の各釘孔２４にそれぞれ釘３４を挿通し、その各釘３４を下地材１に打ち込んで取付金具１２及び下側外装材２を固定する。
【００２７】
そのとき、上記のように下地材１が木下地である場合、上記取付金具１２の縦片１３に設けられる３つの中間脚部２７，２７，…の各々は金具１２前側から見て凹陥され、この凹陥形状の中間脚部２７，２７，…の底部が下地材１の外面に当接するので、上記のような釘打ちによる金具１２の固定時でも、その各中間脚部２７の底部が下地材１に埋没することはない。しかも、縦片１３に３つの中間脚部２７，２７，…が左右方向に独立して並設されているので、金具１２を下地材１に支持する力は３つの中間脚部２７，２７，…に分散され、応力集中による中間脚部２７の下地材１への埋没をさらに有効に防止できる。
【００２８】
また、各中間脚部２７は略円形状に凹陥された断面略半円弧形状であるので、金具１２の成形時に各中間脚部２７を形成する際、その金具材料の変形が均一となり、各中間脚部２７延いては金具１２の強度を高めることができる。また、金具１２には、縦片１３及び上側脚部１８の境界部分の中間補強リブ３０，３０、上側脚部１８の傾斜面部１９及び当接面部２０の境界部分の上側補強リブ２９，２９、及び縦片１３の左右中央に位置する下側補強リブ３１が設けられていることも相俟って、金具１２の強度はさらに増大したものとなる。しかも、取付金具１２の縦片１３に３つの中間脚部２７，２７，…を連続するように横補強リブ２８が設けられているので、この横補強リブ２８によって金具１２の横方向の強度も増大する。これらより、金具１２が薄肉の材料であっても、その変形を確実に防ぐことができる。
【００２９】
このような取付金具１２の固定後、その上側係止片１５と縦片１３との間の溝部に上側の外装材２の雌実下片７を挿入することで、上側係止片１５が係止溝５に挿入された状態で該上側係止片１５により雌実下片７つまり雌実部４を係止する。以上により、上下に隣り合う外装材２，２が下地材１に対し、下側の外装材２の雄実部３上に上側の外装材２の雌実部４の雌実上片６を前後に重ね合わせた状態で互いに接合されかつ取付金具１２を介して取り付けられる。以後は、上記と同様にして各外装材２の取付作業を繰り返せばよい。
【００３０】
したがって、この実施形態では、上記のように金具１２の剛性強度が増大しているので、金具１２及び該金具１２に固定される各外装材２を下地材１に対し確実にかつ強固に支持することができる。
【００３１】
また、上記金具１２の縦片１３に下側補強リブ３１が設けられ、この補強リブ３１の下端部が金具１２における左右の横片１４，１４の位置よりも下側に位置しているので、例えば風圧力によって上側の外装材２が上向きに押し上げられようとした際に横片１４の部分から金具１２を変形させようとする力が作用しても、その変形を下側補強リブ３１によって防止できる。
【００３２】
（参考形態１）
図５は参考形態１を示し（尚、以下の各実施形態及び各参考形態では、図１〜図４と同じ部分については同じ符号を付してその詳細な説明は省略する）、金具１２における縦片１３に３つの中間脚部２７，２７，…のみを設けたものであり、横補強リブ２８、上側、中間及び下側補強リブ２９〜３１は省略されている。
【００３３】
この参考形態の場合、補強リブ２８〜３１の効果は得られないが、それ以外は上記実施形態１と同様の作用効果を奏することができる。特に、金具１２の構造が簡単になる利点がある。
【００３４】
（実施形態２）
図６は本発明の実施形態２を示す。この実施形態では、金具１２の縦片１３に３つの中間脚部２７，２７，…及び横補強リブ２８のみを設けている。その他は参考形態１と同様である。よって参考形態１と同様の作用効果に加えて、金具１２の横方向の強度を増大させることができる。
【００３５】
（参考形態２）
図７は参考形態２を示し、この参考形態では、上記参考形態１の構成において、上側脚部１８の傾斜面部１９には、その３つの釘孔２４，２４，…を含むように左右方向に延びかつ金具１２前側から見て凹陥した上側横補強リブ３２が形成され、この上側横補強リブ３２の底部に各釘孔２４が貫通形成されている。そして、上側横補強リブ３２の底部後面は、縦片１３が下地材１の外面に固定された状態では下地材１の外面に当接するようになっている。
【００３６】
この参考形態の場合、上側横補強リブ３２によって傾斜面部１９延いては金具１２の横方向の強度を高めることができる。また、この上側横補強リブ３２の底部後面が下地材１の外面に当接するので、上側横補強リブ３２と各中間脚部２７との双方によって金具１２を下地材１に対して支持でき、釘打ち時等での金具１２の変形をさらに確実に防止することができる。
【００３７】
（参考形態３）
図８は参考形態３を示し、この参考形態では、上記参考形態２（図７参照）の構成において、金具１２の縦片１３に３つの独立した断面略半円弧形状の中間脚部２７，２７，…を設けず、その代わり、中間脚部２７′は、左右方向に延びるように横長形状に後側に凹陥されている１つのものとする。この参考形態では、中間脚部２７′は、恰も上記各実施形態及び参考形態における３つの断面略半円弧形状の中間脚部２７，２７，…と横補強リブ２８とを１つに一体化した如き構造となり、この１つの中間脚部２７′自体により金具１２の横方向の強度を高めることができる。
【００３８】
（参考形態４）
図９は参考形態４を示す。この参考形態では、上記参考形態３（図８参照）の構成において、１つの中間脚部２７′の底部に、金具取付部材としてのビスや釘（いずれも図示せず）を挿通するための挿通孔３３，３３，…を設けたものである。
【００３９】
この各挿通孔３３によりビスや釘で金具１２を下地材１に固定した場合、外装材２の係止部分と金具１２の下地材１への固定部分とが接近することとなり、このことで金具１２の浮き上がりを防止することができる。また、この参考形態では、中間脚部２７′を挿通孔３３を形成するための部分として利用することができる。
【００４０】
この参考形態４において、金具１２を下地材１に取り付けるときには、上側脚部１８のビス孔２５，２５，…、上側横補強リブ３２内の釘孔２４，２４，…又は中間脚部２７′内の挿通孔３３，３３，…のいずれを用いてもよく、必要に応じて適宜選択すればよい。また、このように中間脚部２７′の底部に挿通孔３３，３３，…を設ける場合、その挿通孔３３，３３，…をビス挿通専用のビス孔とするときには、上側脚部１８のビス孔２５，２５，…は省略してもよい。
【００４１】
尚、本発明の中間脚部は、上記各実施形態及び参考形態に限定されるものではなく、金具１２前側から見て凹陥されていて底部後面が下地材１の外面に当接するであればどのようなものでもよい。
【００４２】
また、上記参考形態１〜３、実施形態２の金具１２の構成に上側、中間及び下側の各補強リブ２９〜３１を設けてもよいのは勿論である。
【００４３】
【発明の効果】
以上説明したように、請求項１の発明によると、外装材の取付金具を、上側及び下側脚部の先端部を下地材に当接させかつ上側脚部の釘孔に挿通された釘により下地材に取付固定し、その上側係止片に、上下に隣り合う外装材のうちの上側外装材の雌実部を係止する一方、下側係止片に下側外装材の雄実部を係止して、両外装材を上側外装材の雌実部と下側の外装材の雄実部とを嵌合した状態で下地材に固定する場合において、金具の縦片に、金具前側から見て凹陥されかつ底部が下地材外面に当接する複数の中間脚部を左右方向に独立して並設し、これら複数の中間脚部を連続させるように金具前側から見て凹陥した横補強リブを設けたことにより、金具の釘打ち固定時でも中間脚部が下地材に埋没して金具が変形するのを確実に防ぐとともに、金具の強度を高めることができ、金具及び外装材の下地材に対する支持の安定確保を図ることができ、さらには、複数の中間脚部を連続させるように金具前側から見て凹陥した横補強リブにより、金具の横方向の強度の増大を図ることができる。
【００４４】
請求項２の発明によると、取付金具における縦片及び上側脚部の境界部分に、金具前側から見て凹陥した中間補強リブを、また上側脚部の傾斜面部及び当接面部の境界部分に、金具前側から見て突出した上側補強リブを、さらに縦片に、上端部が上側脚部近傍に位置しかつ下端部が左右の横片の位置よりも下側に位置し、金具前側から見て凹陥した下側補強リブをそれぞれ設けたことにより、金具の強度のより一層の増大を図るとともに、風圧力によって上側外装材が上向きに押し上げられようとした際の横片部分からの金具の変形を下側補強リブによって防止することができる。
【００４５】
請求項３の発明によると、取付金具の中間脚部底部に、金具取付部材を挿通するための挿通孔を設けたことにより、中間脚部を挿通孔の形成部分として利用することができるとともに、挿通孔を利用した金具の固定状態では、外装材の係止部分と金具の下地材への固定部分とを接近させて、風圧力による金具の浮き上がりの防止を図ることができる。
【図面の簡単な説明】
【図１】  本発明の実施形態１に係る取付金具の斜視図である。
【図２】  実施形態１の取付金具の正面図である。
【図３】  図２のIII −III 線断面図である。
【図４】  実施形態１の取付金具による外装材の取付構造を示す断面図である。
【図５】  参考形態１を示す図１相当図である。
【図６】  実施形態２を示す図１相当図である。
【図７】  参考形態２を示す図１相当図である。
【図８】  参考形態３を示す図１相当図である。
【図９】  参考形態４を示す図１相当図である。
【符号の説明】
１  下地材
２  外装材
３  雄実部
４  雌実部
１２  取付金具
１３  縦片
１４  横片
１５  上側係止片
１６  下側係止片
１８  上側脚部
１９  傾斜面部
２０  当接面部
２１  下側脚部
２４  釘孔
２５  ビス孔
２７，２７′  中間脚部
２８  横補強リブ
２９  上側補強リブ
３０  中間補強リブ
３１  下側補強リブ
３３  挿通孔
３４  釘
【図１】
0003919873.tif 000002
【図２】
0003919873.tif 000003
【図３】
0003919873.tif 000004
【図４】
0003919873.tif 000005
【図５】
0003919873.tif 000006
【図６】
0003919873.tif 000007
【図７】
0003919873.tif 000008
【図８】
0003919873.tif 000009
【図９】
0003919873.tif 000010